(57)【要約】【課題】  装置本体の存在をより認識しやすくする印刷装置を提供する。【解決手段】  用紙２００を取込口３００から取り込んで印画処理を施し、この印画処理を施した用紙２００を送出口４００へ送出する印刷装置１００であって、取込口３００から用紙２００を取り込んで送出口４００へ搬送する搬送処理部１４０と、複数の第１の画像データが記憶された画像記憶部１２０と、記憶手段１２０に記憶された複数の第１の画像データの画像を表示するモニタ６００と、搬送処理部１４０に、用紙２００を取込口３００から取り込ませて、この用紙２００を保持させた状態で、この用紙２００の少なくとも一部が繰り返し送出口４００から入出するように搬送させるとともに、この搬送動作に応じて、複数の第１の画像データから任意に選択した画像をモニタ６００に表示させる制御部１８０とを備える。【選択図】  図２
2008207380.tif 000002
【特許請求の範囲】
【請求項１】
用紙を取込口から取り込んで印画処理を施し、この印画処理を施した用紙を送出口へ送出する印刷装置において、
上記取込口から上記用紙を取り込んで上記送出口へ搬送する搬送手段と、
複数の第１の画像データが記憶された記憶手段と、
上記記憶手段に記憶された第１の画像データの画像を表示する表示手段と、
上記搬送手段に、上記用紙を上記取込口から取り込ませて、この用紙を保持させた状態で、この用紙の少なくとも一部が繰り返し上記送出口から入出するように搬送させるとともに、この搬送動作に応じて、上記複数の第１の画像データから任意に選択した画像を上記表示手段に表示させる制御手段とを備える印刷装置。
【請求項２】
上記記憶手段には、複数の第２の画像データが記憶されており、
上記制御手段は、上記記憶手段から任意の上記第２の画像データを選択し、この選択した第２の画像データを上記用紙に印画処理を施すことを特徴とする請求項１記載の印刷装置。
【請求項３】
上記表示手段は、その画像表示面の背面にバックライトが設けられた画像表示装置であり、
上記制御手段は、上記搬送手段に、上記用紙を上記取込口から取り込ませて、この用紙を保持させた状態で、この用紙の少なくとも一部が繰り返し上記送出口から入出するように搬送させるとともに、この搬送動作に応じて、上記表示手段に表示させる画像と、この表示手段のバックライトの明るさを任意に選択させることを特徴とする請求項１記載の印刷装置。
【請求項４】
取込口から用紙を取り込んで送出口へ搬送する搬送手段と、複数の第１の画像データが記憶された記憶手段と、上記記憶手段に記憶された複数の第１の画像データの画像を表示する表示手段とを備え、上記用紙に印画処理を施す印刷装置の制御方法において、
上記搬送手段により、上記用紙を上記取込口から取り込んで、この取り込んだ用紙を保持した状態で、この用紙の少なくとも一部が繰り返し上記送出口から入出するように搬送させ、
上記搬送手段の搬送動作に応じて、上記複数の第１の画像データから任意に選択した画像を上記表示手段に表示させる印刷装置の制御方法。
【発明の詳細な説明】
【技術分野】
【０００１】
本発明は、用紙に印画処理を施す印刷装置、及びその制御方法に関するものである。
【背景技術】
【０００２】
印刷装置は、電子機器を店頭で展示されるときには、顧客に対してデモンストレーションをしたり、また、その存在を認識しやすくする必要がある。
【０００３】
例えば、特許文献１には、店頭展示における顧客に対するデモンストレーションを効率よく行うため、印字された用紙を保持したまま待機させて、この待機させている用紙が取り除かれるのに応じて印字処理を開始する印刷装置が記載されている。
【０００４】
【特許文献１】特開平８―１８３２１２号公報
【発明の開示】
【発明が解決しようとする課題】
【０００５】
しかしながら、特許文献１に記載された印刷装置は、印刷された用紙を保持したまま待機しているのに過ぎない。したがって、特許文献１に記載された印刷装置のデモンストレーションに関する一連の処理は、顧客に対してその存在を認識しやすくするというものではない。
【０００６】
本発明は、このような実情に鑑みて提案されたものであり、装置本体の存在をより認識しやすくする印刷装置、及びその制御方法を提供することを目的とする。
【課題を解決するための手段】
【０００７】
上述した課題を解決するための手段として、本発明に係る印刷装置は、用紙を取込口から取り込んで印画処理を施し、この印画処理を施した用紙を送出口へ送出する印刷装置であって、上記取込口から上記用紙を取り込んで上記送出口へ搬送する搬送手段と、複数の第１の画像データが記憶された記憶手段と、上記記憶手段に記憶された第１の画像データの画像を表示する表示手段と、上記搬送手段に、上記用紙を上記取込口から取り込ませて、この用紙を保持させた状態で、この用紙の少なくとも一部が繰り返し上記送出口から入出するように搬送させるとともに、この搬送動作に応じて、上記複数の第１の画像データから任意に選択した画像を上記表示手段に表示させる制御手段とを備える。
【０００８】
また、本発明に係る印刷装置の制御方法は、取込口から用紙を取り込んで送出口へ搬送する搬送手段と、複数の第１の画像データが記憶された記憶手段と、上記記憶手段に記憶された複数の第１の画像データの画像を表示する表示手段とを備え、上記用紙に印画処理を施す印刷装置の制御方法であって、上記搬送手段により、上記用紙を上記取込口から取り込んで、この取り込んだ用紙を保持した状態で、この用紙の少なくとも一部が繰り返し上記送出口から入出するように搬送させ、上記搬送手段の搬送動作に応じて、上記複数の第１の画像データから任意に選択した画像を上記表示手段に表示させる印刷装置の制御方法である。
【発明の効果】
【０００９】
本発明によれば、搬送手段により、取り込んだ用紙を保持した状態で、この用紙の少なくとも一部が繰り返し送出口から入出するように搬送させるとともに、この搬送動作に応じて、記憶手段に記憶された複数の第１の画像データから任意に選択した画像を表示手段に表示させるので、例えば、店頭展示時において装置本体の存在をより認識しやすくすることができる。
【発明を実施するための最良の形態】
【００１０】
以下、本発明を実施するための最良の形態について、図面を参照しながら詳細に説明する。
【００１１】
本発明が適用された印刷装置は、具体的には以下に示す動作を行うことにより、例えば、店頭展示時においてこの印刷装置本体の存在をより認識しやすくしたものである。
【００１２】
図１は、本発明が適用された印刷装置１００の外観を示した斜視図である。この印刷装置１００は、図１に示すように、印画処理を施す用紙２００を取り込むための取込口３００と、印画処理が施された用紙２００を送出するための送出口４００と、コンピュータやデジタルカメラから供給される画像データなどを入出力するためのＵＳＢインタフェースなどが接続される外部インタフェース部５００と、印画対象となる画像データなどを表示するモニタ６００と、ユーザからの操作命令が入力される操作入力部７００とを備えている。
【００１３】
印刷装置１００は、取込口３００から用紙２００を取り込み、外部インタフェース部５００を介して供給される画像データに応じた印画処理を用紙２００に施して、印画処理を施した用紙２００を送出口４００へ送出する。
【００１４】
また、印刷装置１００は、モニタ６００に、例えば、印画対象の画像や、印画対象の画像データをユーザが選択するのをガイドする画面などを表示させる。なお、本実施形態においては、モニタ６００の一例として、その表示面に対する背面側にバックライト６１０が設けられた液晶型表示装置とする。
【００１５】
また、印刷装置１００は、上述した構成以外に、その内部に次に示すような処理部を有している。以下では、本発明が適用された印刷装置の一例として、この印刷装置１００をサーマルプリンタとする。なお、モニタなどの表示装置を有するプリンタであれば、サーマルプリンタに限らず、インクジェットプリンタなどを用いるようにしても良い。
【００１６】
印刷装置１００は、図２に示すように、画像データに対して画像処理を施す画像処理部１１０と、画像データを記憶する画像記憶部１２０と、印画処理を用紙２００に施す印画処理部１３０と、用紙２００を取込口３００から送出口４００へ搬送する搬送処理部１４０と、モニタ６００へ画像データを表示出力するモニタドライバ１５０と、モニタ６００のバックライト６１０の電力供給を制御するバックライトドライバ１６０と、音声を出力する音声処理部１７０と、操作入力部７００に入力される操作命令に応じて装置全体を制御する制御部１８０とを備えている。
【００１７】
画像処理部１１０は、外部インタフェース部５００を介して供給される画像データに対して、次に示すような画像処理を施す。
【００１８】
第１の画像処理として、画像処理部１１０は、画像データを画像記憶部１２０に応じたデータ形式に変換して、変換したデータを画像記憶部１２０に供給する。第２の画像処理として、画像処理部１１０は、画像データを印画処理に応じたデータ形式に変換して、変換したデータを印画処理部１３０に供給する。第３の画像処理として、画像処理部１１０は、画像データをモニタ６００の表示形式に応じたデータ形式に変換して、変換したデータをモニタドライバ１５０に供給する。
【００１９】
画像記憶部１２０は、画像処理部１１０から供給される画像データを記憶する。画像記憶部１２０には、画像処理部１１０から供給される画像データ以外にも、後述する複数のデモモード印刷用画像と、印刷装置１００がこのデモモード動作時の処理工程において変数Ｎで管理されてモニタ６００に表示される複数のデモモード表示用画像データが予め記憶されている。
【００２０】
印画処理部１３０は、インクリボンカートリッジ１３０ａに収納されたインクリボン上のインクを用紙２００に転写するサーマルヘッド１３１と、このサーマルヘッド１３１を制御するヘッド制御部１３２とからなる。また、印画処理部１３０には、インクリボンを収納したインクリボンカートリッジ１３０ａが設けられている。
【００２１】
インクリボンカートリッジ１３０ａには、ポリエステルフィルム、ポリスチレンフィルム等の合成樹脂フィルムでなる基材の一方の面に、画像を形成するイエロー（Ｙ）、マゼンタ（Ｍ）、シアン（Ｃ）の各色の染料と熱可塑性樹脂とで形成された染料層とが一定の間隔を持って長手方向に順次繰り返し設けられているインクリボンが収納されている。
【００２２】
また、サーマルヘッド１３１は、後述するプラテンローラ１４５と対向する位置に設けられている。そして、サーマルヘッド１３１は、このプラテンローラ１４５との間にインクリボンカートリッジ１３０ａに収納されたインクリボンと用紙２００と挟み込んで加熱することにより、用紙２００にインクを転写する。ヘッド制御部１３２は、画像処理部１１０から供給される画像データ、及び搬送処理部１４０による用紙２００の搬送動作に応じて、サーマルヘッド１３１の加熱を制御する。
【００２３】
搬送処理部１４０は、用紙２００を取込口３００から送出口４００へ搬送するため、例えば、次に示すような構成を有している。
【００２４】
すなわち、搬送処理部１４０は、モータ制御部１４１と、ステッピングモータ１４２と、キャプスタン１４３と、ピンチローラ１４４と、プラテンローラ１４５と、ガイドローラ１４６〜１４９とからなる。
【００２５】
モータ制御部１４１は、制御部１８０からの制御命令に従って、ステッピングモータ１４２へ駆動パルス信号を供給する。
【００２６】
ステッピングモータ１４２は、モータ制御部１４１から供給される駆動パルス信号に応じて駆動し、このモータに接続されたキャプスタン１４３を回転させる。
【００２７】
キャプスタン１４３とピンチローラ１４４とは、相対向する位置に設けられている。キャプスタン１４３は、相対向するピンチローラ１４４との間に、用紙２００を狭持する。そして、キャプスタン１４３は、ステッピングモータ１４２からの回転駆動により狭持した用紙２００を走行させる。
【００２８】
プラテンローラ１４５は、上述したサーマルヘッド１３１と対向する位置に設けられる。そして、プラテンローラ１４５は、サーマルヘッド１３１との間に、インクと用紙２００とを狭持する。
【００２９】
ガイドローラ１４６〜１４９は、キャプスタン１４３の回転駆動により取込口３００から取り込まれた用紙２００を狭持し、この用紙２００を取込口３００から送出口４００までガイドする。
【００３０】
このように、搬送処理部１４０は、モータ制御部１４１がステッピングモータ１４２にパルス信号を供給することにより、キャプスタン１４３を回転駆動させて、用紙２００を取込口３００からサーマルヘッド１３１が設けられた印画位置へ走行させる。そして、搬送処理部１４０は、サーマルヘッド１３１により印画処理が施された用紙２００を送出口４００へ走行させる。
【００３１】
なお、上述した搬送処理部１４０は、取込口３００から取り込んだ用紙２００の表裏を反転させて送出口４００へ搬送するような機構としたものである。本発明が適用された印刷装置は、上述したような機構を有するものに限定されず、例えば、用紙の取込方向の略延長線上に送出口を設けることで、取込口から取り込んだ用紙の表裏を反転させることなく送出口へ搬送するような機構を有する搬送処理部を用いても良く、特にこのような搬送処理部を用いることによって、例えば表裏を反転しにくい厚紙用紙を容易に搬送することができる。
【００３２】
なお、搬送処理部１４０は、駆動手段として、ステッピングモータ１４２を用いるため、パルス信号の周期と回数とを制御することにより、用紙２００の位置決め制御を正確に行うことができる。しかしながら、この駆動手段は、ステッピングモータ１４２に限定されるものではなく、用紙２００の位置を検出するセンサを設ける必要があるが直流モータなどを用いるようにしても良い。
【００３３】
モニタドライバ１５０は、画像処理部１１０から供給される画像データをモニタへ表示出力する。
【００３４】
バックライトドライバ１６０は、次に示すように、制御部１８０から供給される制御信号に応じて、バックライト６１０の駆動電流を制御する。
【００３５】
ここで、駆動電流の制御を行うための構成の一例について図３を参照して説明する。バックライト６１０は、図３に示すように、バックライトドライバ１６０の正極端Ａから基準電圧＋Ｖが供給される。また、バックライト６１０には、その接地端Ｂ側に次に示すような可変抵抗回路６２０と直列接続されている。ここで、可変抵抗回路６２０は、バックライトドライバ１６０からの制御命令に応じて回路全体の抵抗値を変更するものである。例えば、可変抵抗回路６２０は、それぞれスイッチ６２１ａ、６２２ａ、６２３ａが設けられた抵抗素子６２１、６２２、６２３が並列に接続された回路である。そして、可変抵抗回路６２０は、スイッチ６２１ａ、６２２ａ、６２３ａがそれぞれバックライトドライバ１６０によりオンオフ制御されることで、この回路全体の抵抗値を変更可能にしている。
【００３６】
このように、バックライトドライバ１６０は、可変抵抗回路６２０の抵抗値を制御することで、バックライト６１０に流れる駆動電流の値を制御している。よって、バックライトドライバ１６０は、モニタ６００の表示の明るさを、例えば三段階で変更することができる。
【００３７】
ここで、バックライト６１０は、駆動電流をより多く流すと、それに応じてこの発光素子の劣化もより速く進む。このため、例えば、印刷装置１００は、後述するデモモード動作時ではスイッチ６２１ａ、６２２ａ、６２３ａをＯＮにしてモニタ６００の表示を最も明るくし、それ以外の動作ではスイッチ６２１ａ、６２２ａ、６２３ａを１乃至２つＯＮにしてバックライト６１０の寿命を延ばすことができる。
【００３８】
このようにして、印刷装置１００は、製造コストが比較的高い高輝度型の液晶パネルを用いることなく、また、バックライト６１０の発光素子の劣化を低減して、店頭展示などの装置本体を認識しやすくするためにモニタ６００の表示をより明るくすることができる。
【００３９】
音声処理部１７０は、所定の音声データが記憶されている内部メモリ１７１と、制御部１８０からの制御命令に応じて、内部メモリ１７１から音声データを読み出してこのデータに応じた音声信号を出力する音声出力部１７２と、音声出力部１７２から出力される音声信号を外部へ出力するスピーカ１７３とから構成されている。なお、内部メモリ１７１には、予め音声データが記憶されているものとする。また、内部メモリ１７１には、外部インタフェース部５００を介して外部より供給される音声データが記憶されるようにしても良い。
【００４０】
制御部１８０は、操作入力部７００に入力される操作命令に応じて、上述した各処理部に制御信号を供給して制御する。例えば、制御部１８０は、次に示すような動作命令を出力する。第１の動作として、制御部１８０は、モニタ６００に画像記憶部１２０に記憶された画像データの中から印画対象となる画像データを選択するための画面をモニタ６００に表示させる。第２の動作として、制御部１８０は、搬送処理部１４０に用紙２００を取り込ませ、搬送処理部１４０の搬送動作に応じて、印画処理部１３０に印画処理を行わせる。
【００４１】
印刷装置１００は、通常、上述したような第１及び第２の動作などを行う。以下では、このような通常動作に対して、例えば店頭展示用にユーザに対して印刷装置１００の存在を認識しやすくするような動作（以下、デモモードという。）について説明する。
【００４２】
まず、デモモードの説明に先立ち、図４に示すようなデモ準備モードの処理について説明する。ここで、デモ準備モードとは、印刷装置１００がデモモード動作時において使用するデモモード印刷用画像データを用紙２００に印刷する動作を行う。
【００４３】
ステップＳ１において、制御部１８０は、操作入力部７００にデモ準備モードを実行する旨の操作入力が入力されたか否かを判断する。ここで、制御部１８０は、デモ準備モードを実行する旨の操作入力が入力されるまでこの判断処理を繰り返し、その後ステップＳ２に進む。
【００４４】
ステップＳ２において、制御部１８０は、画像記憶部１２０に記憶されている複数のデモモード印刷用画像データから任意のものを選択し、この選択したデモモード印刷用画像データを読み出して、用紙２００にこのデモモード印刷用画像を印刷する。
【００４５】
このようにして、印刷装置１００では、デモ準備モードに応じて、デモモード印刷用画像を用紙２００に印刷するので、デモモード印刷用画像データが印刷された用紙を仮に紛失したとしても、再度、画像記憶部１２０に予め記憶されたデモモード印刷用画像データを用いてデモモード印刷用画像を印刷することができる。
【００４６】
続いて、店頭展示において印刷装置１００の存在を認識しやすくするためのデモモードについて、図５を参照して説明する。
【００４７】
ステップＳ１１において、制御部１８０は、操作入力部７００にデモモードを実行する旨の操作入力が入力されたか否かを判断する。ここで、制御部１８０は、デモモードを実行する旨の操作入力が入力されるまでこの判断処理を繰り返し、その後ステップＳ１２に進む。
【００４８】
ステップＳ１２において、制御部１８０は、デモモード印刷用画像が印刷された用紙を取込可能に設置させることをユーザに促す画面をモニタ６００に表示する。そして、制御部１８０は、操作入力部７００からこの用紙が取込可能に設置された旨の操作入力を検出するまで繰り返しこの画面を表示し、その後、ステップＳ１３に進む。
【００４９】
ステップＳ１３において、制御部１８０は、変数Ｎの値を１に初期化する。ここで変数Ｎは、後段のステップＳ１５においてモニタ６００に表示させるデモモード表示用画像データのデータ番号を示す変数である。
【００５０】
ステップＳ１４において、制御部１８０は、搬送処理部１４０にデモモード印刷用画像が印刷された用紙を取り込ませる。
【００５１】
ステップＳ１４が完了した後、制御部１８０は、モニタ６００に対してステップＳ１５の処理を、搬送処理部１４０に対してステップＳ１６の処理を、並列処理する。また、この並列処理は、所定時間行い、その後ステップＳ１７に進む。
【００５２】
ステップＳ１５において、制御部１８０は、変数Ｎ＝１に対応するデータ番号のデモモード表示用画像データを画像記憶部１２０から読み出して、この読み出した画像をモニタ６００に表示させる。
【００５３】
ステップＳ１６において、制御部１８０は、搬送処理部１４０に、ステップＳ１４で取り込んだ用紙を保持した状態で、この用紙の少なくとも一部が繰り返し送出口４００から入出するように搬送させる。
【００５４】
ステップＳ１７において、制御部１８０は、操作入力部７００からデモモードを終了する旨の操作命令が入力されたか否かを判断する。ここで、制御部１８０は、この操作命令が入力されないとステップＳ１８に進み、この操作命令が入力されるとステップＳ１９に進む。
【００５５】
ステップＳ１８において、制御部１８０は、変数Ｎの値をＮ＋１に更新して、ステップＳ１５及びステップＳ１６に戻る。この更新処理によって、モニタ６００は、その後のステップＳ１５において、前回表示されたデモモード表示用画像データのデータ番号の次の番号となるデモモード表示用画像データを表示することとなる。
【００５６】
ステップＳ１９において、制御部１８０は、搬送処理部１４０に、ステップＳ１４において取り込んだ印画紙を送出口４００から送出して、デモモードを終了する。
【００５７】
以上のように、印刷装置１００によれば、ステップＳ１４の処理により、デモモード印刷用画像が印刷された印画紙を取り込み、ステップＳ１３からステップＳ１８までの一連の処理により、搬送処理部１４０がこの用紙を保持した状態でこの用紙の少なくとも一部が繰り返し送出口４００から入出するように搬送させるとともに、この搬送動作に応じて、変数Ｎを更新することにより、複数のデモモード表示用画像をモニタ６００に時系列に表示させる。
【００５８】
なお、印刷装置１００は、ステップＳ１３からステップＳ１８までの処理により複数のデモモード表示用画像をモニタ６００に時系列に表示させるが、これに限定されず、例えば、モニタ６００に表示するデモモード表示用画像を画像記憶部１２０から無作為に選択するなど、任意の時間間隔毎に任意に選択したデモモード表示用画像をモニタ６００に表示させてもよい。
【００５９】
よって、印刷装置１００によれば、複数のデモモード表示用画像から任意に選択した画像をモニタ６００に表示させるとともに、デモモード印刷用画像が印刷された用紙２００の一部が送出口４００から繰り返し入出されることによってユーザに視認可能に表示させるので、例えば、店頭展示時において印刷装置本体の存在をより認識しやすくすることができる。
【００６０】
通常、このような電子機器の存在を店頭展示時などにおいて認識しやすくするためには、それに応じた処理を行う機能を別途追加する必要がある。しかしながら、本発明を適用した印刷装置１００は、予め印画対象となる画像データなどを表示するために設けられたモニタ６００を利用して、装置本体を認識しやすくすることができるという点で、コストと装置規模の増加を抑えつつ、装置本体を認識しやすくすることができるという利点がある。
【００６１】
また、上述したステップＳ１５では、変数Ｎに応じたデータ番号のデモモード表示用画像データをモニタ６００に単に表示させるだけであるが、この画像の表示に合わせて次に示す第１及び第２の処理をそれぞれ制御部１８０が行うことにより、さらに印刷装置本体の存在を認識しやすくすることができる。
【００６２】
第１の処理として、制御部１８０は、ステップＳ１５からステップＳ１８までの一連の動作時において、バックライトドライバ１６０に、バックライト６１０の駆動電流を任意に変更させ、用紙の搬送動作に応じて任意の時間間隔毎にバックライト６１０の明るさを任意に選択させる。
【００６３】
第２の処理として、制御部１８０は、ステップＳ１５からステップＳ１８までの一連の動作時において、音声出力部１７２に、内部メモリ１７１に記憶された音声データを、用紙の搬送動作に応じてスピーカ１７３に出力する。
【００６４】
印刷装置１００は、上述した第１及び第２の処理を行うことにより、さらに装置本体の存在を認識しやすくすることができる。
なお、本発明は、以上の実施形態のみに限定されるものではなく、本発明の要旨を逸脱しない範囲内において種々の変更が可能であることは勿論である。
【図面の簡単な説明】
【００６５】
【図１】本発明が適用された印刷装置の外観を示した斜視図である。
【図２】本発明が適用された印刷装置の内部構成を示した概略図である。
【図３】バックライトの駆動電流を制御するための制御系を示した概略図である。
【図４】デモ準備モードの動作の説明に供するフローチャートである。
【図５】デモモードの動作の説明に供するフローチャートである。
【符号の説明】
【００６６】
１００  印刷装置、１１０  画像処理部、１２０  画像記憶部、１３０  印画処理部、１３０ａ  インクリボンカートリッジ、１３１  サーマルヘッド、１３２  ヘッド制御部、１４０  搬送処理部、１４１  モータ制御部、１４２  ステッピングモータ、１４３  キャプスタン、１４４  ピンチローラ、１４５  プラテンローラ、１５０  モニタドライバ、１６０  バックライトドライバ、１７０  音声処理部、１７１  内部メモリ、１７２  音声出力部、１７３  スピーカ、１８０  制御部、２００  用紙、３００  取込口、４００  送出口、５００  外部インタフェース部、６００  モニタ、６１０  バックライト、６２０  可変抵抗回路、６２１、６２２、６２３  抵抗素子、６２１ａ、６２２ａ、６２３ａ  スイッチ、７００  操作入力部
【図１】
2008207380.tif 000003
【図２】
2008207380.tif 000004
【図３】
2008207380.tif 000005
【図４】
2008207380.tif 000006
【図５】
2008207380.tif 000007